(57)【特許請求の範囲】
【請求項１】
中空のレンジフード本体の内部に設けられた、油煙を下方から上方へ通すためのダクト部に対して設置可能な脱臭ユニットが設けられ、
該脱臭ユニットが、上下面に油煙を通す開口を有する箱枠状のユニットケーシングを備えると共に、
少なくとも、油煙中に含まれる油脂ミストを捕集するグリスフィルタと、
油煙中に含まれる臭気成分およびＰＡＨ（多環芳香族炭化水素）を光触媒反応によって分解可能な光触媒フィルタ、および、該光触媒フィルタに光触媒反応を生じさせる光源と、
油煙中に含まれる臭気成分を吸着可能な活性炭フィルタと、を備え、
前記脱臭ユニットが、ユニットケーシングの内部に、下側から順番に、前記グリスフィルタと、光触媒フィルタおよび光源と、活性炭フィルタと、を収容設置可能とされると共に、前記ダクト部に対し水平方向へのスライドにより、前記グリスフィルタと、光触媒フィルタおよび光源と、活性炭フィルタと、をユニットケーシングと共に一度に着脱可能なものとされたことを特徴とするレンジフード用脱臭装置。
【請求項２】
請求項１に記載のレンジフード用脱臭装置であって、
前記ユニットケーシングに対し、前記グリスフィルタと、前記光触媒フィルタと、前記活性炭フィルタとが、全てほぼ同じ形状および大きさに揃えられて、水平方向へのスライドによってそれぞれ別個に着脱が可能に取付けられたことを特徴とするレンジフード用脱臭装置。 
【発明の詳細な説明】
【技術分野】
【０００１】
この発明は、レンジフード用脱臭装置に関するものである。
【背景技術】
【０００２】
例えば、飲食店やファーストフード店やコンビニエンスストアなどのような、調理機器を備えた店舗などでは、店舗内に、調理機器から出た油煙を集めて屋外へ排出するためのレンジフードが備えられる。
【０００３】
このようなレンジフードは、油煙を集めるフード部と、このフード部で集められた油煙を通すダクト部を内部に備えた中空のレンジフード本体と、を有するものとされる。
【０００４】
そして、上記したフード部やダクト部などに対し、グリスフィルタや、脱臭材や、活性炭フィルタや、除塵フィルタなどの各種のフィルタ類を個別に設置して、油煙に対する各種の処理を行なわせるようにしたものも存在している（例えば、特許文献１参照）。
【先行技術文献】
【特許文献】
【０００５】
【特許文献１】特許第４８３３５２１号
【発明の概要】
【発明が解決しようとする課題】
【０００６】
しかしながら、上記特許文献１のレンジフードは、グリスフィルタや、脱臭材や、活性炭フィルタや、除塵フィルタなどの各種のフィルタ類を、フード部やダクト部などの各部に対して、それぞれ別個に分散配置するようにしていたので、構造が合理的ではなかった。そのため、例えば、各フィルタは、大きさや形状などがそれぞれ異なるものとなっていると共に、その配置なども相互に離れたものとなっており、各フィルタの取扱い要領や交換要領がそれぞれ異なってしまうので、構造に共通性がなく、取扱い性も極めて悪かった。
【０００７】
そこで、この発明は、構造を合理化することによって、各フィルタの取扱い性などを向上し得るようにすることを目的とするものである。
【課題を解決するための手段】
【０００８】
上記課題を解決するために、本発明は、中空のレンジフード本体の内部に設けられた、油煙を下方から上方へ通すためのダクト部に対して設置可能な脱臭ユニットが設けられ、
該脱臭ユニットが、上下面に油煙を通す開口を有する箱枠状のユニットケーシングを備えると共に、
少なくとも、油煙中に含まれる油脂ミストを捕集するグリスフィルタと、
油煙中に含まれる臭気成分およびＰＡＨ（多環芳香族炭化水素）を光触媒反応によって分解可能な光触媒フィルタ、および、該光触媒フィルタに光触媒反応を生じさせる光源と、
油煙中に含まれる臭気成分を吸着可能な活性炭フィルタと、を備え、
前記脱臭ユニットが、ユニットケーシングの内部に、下側から順番に、前記グリスフィルタと、光触媒フィルタおよび光源と、活性炭フィルタと、を収容設置可能とされると共に、前記ダクト部に対し水平方向へのスライドにより、前記グリスフィルタと、光触媒フィルタおよび光源と、活性炭フィルタと、をユニットケーシングと共に一度に着脱可能なものとされたレンジフード用脱臭装置を特徴とする。 
【発明の効果】
【０００９】
本発明によれば、上記構成によって、以下のような作用効果を得ることができる。即ち、箱枠状のユニットケーシングの内部に、グリスフィルタ、光触媒フィルタ、活性炭フィルタなどの各種フィルタ類と、光触媒フィルタに光触媒反応を起こさせるための光源とを設置して、ダクト部に対し水平方向に着脱可能な一体の脱臭ユニットを構成した。これにより、必要な全てのフィルタ類を一まとめにして（揃えて、または、セットにして）ユニットケーシングに収容可能とすることでコンパクトにユニット化し、全てのフィルタ類をユニットケーシングと共に一度に着脱可能とした合理的な構造の脱臭ユニットを得ることができる。以って、脱臭ユニットは、全体として取扱い性の良いものとなると共に、高い脱臭性能を得るのに有利な構造を備えたものとなる。
【図面の簡単な説明】
【００１０】
【図１】本発明の実施の形態にかかる脱臭ユニットを備えたレンジフードおよび調理機器の全体斜視図である。
【図２】図１のレンジフードの内部を側方から見た縦断面図である。
【図３】図１のレンジフードの内部を正面側から見た縦断面図である。
【図４】脱臭ユニットを取り外した状態を示すレンジフードの斜視図である。
【図５】図４の脱臭ユニットの斜視図である。
【図６】脱臭ユニットの上面を図中正面側に向けて見た斜視図である。
【図７】脱臭ユニットの底面を図中正面側に向けて見た斜視図である。
【図８】活性炭フィルタが見えるように分解した状態を示す脱臭ユニットの斜視図である。
【図９】図８の脱臭ユニットから、活性炭フィルタおよび光触媒フィルタを取り外した状態を示す斜視図である。
【発明を実施するための形態】
【００１１】
以下、本実施の形態を、図面を用いて詳細に説明する。図１〜図９は、この実施の形態を示すものである。
【００１２】
まず、この実施の形態の構成について説明する。
【００１３】
例えば、飲食店やファーストフード店やコンビニエンスストアなどのような、調理機器を備えた店舗などに対し、調理機器から出た油煙を集めて処理するためのレンジフードを設けるようにする。なお、店舗は上記に限るものではなく、また、レンジフードを設けることができるのは、店舗に限るものではない。
【００１４】
図１は、レンジフード１の全体を示す斜視図である。まず、図１の下部には、調理機器２の一例としてのフライヤー（揚げ物機）が設置されている。このフライヤーは、その上面側に、高温油槽３を有しており、この高温油槽３には、浸漬および引き上げ可能な揚物調理用網４が配設されている。揚物調理用網４には、取り扱いが容易なように、持ち手が取付けられている。但し、調理機器２は、フライヤーに限るものではない。
【００１５】
そして、この調理機器２の上方に対して、上記したレンジフード１が設置されている。このレンジフード１は、フライヤーなどの調理機器２から立ち上った油煙５などの処理対象ガスを集めるフード部６と、このフード部６に集められた油煙５を誘引して店舗内（屋内）に排気させるための屋内排気口７を上部に有するレンジフード本体８と、を備えたものとされる。
【００１６】
図２は、図１を側方から見た断面図である。上記したフード部６は、調理機器２よりも若干大きい矩形状をした平たい箱型のものとされており、調理機器２の上方を覆うように設けられている。このフード部６は、下面側が開放されており、この開放部分には、フード部６よりも一回り小さい整流板１１が、フード部６の下縁部との間に吸入口部１２となる隙間を形成するように設置されている。そして、上記した調理機器２からの油煙５は、整流板１１に当たると、整流板１１に沿って横方向へ導かれ、吸入口部１２からフード部６の内部へと取り込まれるようになっている。
【００１７】
また、上記したレンジフード本体８は、フード部６よりも一回り小さい中空の箱状のものとされて、フード部６の上部に一体的に設置されている。レンジフード本体８の下面部分とフード部６の上面部分との間には、フード部６へ入った油煙５をレンジフード本体８側へ導くための本体入口部１４が設けられている。そして、レンジフード本体８内部の下部には、フード部６の油煙５を、本体入口部１４を介してレンジフード本体８の内部へと誘引するためのファン１５が設置されている。
【００１８】
箱状のレンジフード本体８は、その前面パネル１７を開くかまたは取り外すことによって、内部が露出されるようになっている。上記した屋内排気口７は、この前面パネル１７の上部に、屋内へ臨むように形成されている。なお、このレンジフード本体８は、屋外排気口を備えていない。このように、屋外排気口部を設けないことにより、レンジフード１の構造を簡略化すると共に、店舗への入居時に、店舗の外壁などに排気用の穴を開ける工事を行う必要をなくすことができると共に、店舗からの退去時に、現状復帰のために上記した排気用の穴を塞ぐ工事を行う必要をなくすことができるので、費用面や工期面でメリットが大きく、しかも、近隣への臭気拡散を防止することができる。但し、屋外排気を行わずに屋内排気のみで済ませられるようにするためには、レンジフード１には、上記した油煙５などの処理対象ガスを高度に脱臭して、クリーンな処理済ガス１８に変えることができるような、高い処理能力が必要となる。よって、上記したような高いレベルの処理能力を備えていないレンジフード１については、屋外排気口を設けて、屋外排気口を店舗の外壁に形成した排気用の穴に接続しなければならないのは勿論である。
【００１９】
そして、レンジフード本体８の内部には、上記したファン１５（のファンケース）と、上記した屋内排気口７との間を接続するように、油煙５を下方から上方へ向けて通すためのダクト部２１が設けられる。このダクト部２１は、流路断面が矩形状のものとされて、その前部壁２２が取り外せるようにビス２３で固定されている。
【００２０】
このダクト部２１の内部には、油煙５に対して脱臭などの処理を行うためのレンジフード用脱臭装置となる脱臭ユニット２５が備えられる。この脱臭ユニット２５は、少なくとも、油煙５中に含まれる油脂ミストを捕集するグリスフィルタ２６と、油煙５中に含まれる臭気成分およびＰＡＨ（多環芳香族炭化水素）を光触媒反応によって分解可能な光触媒フィルタ２７、および、この光触媒フィルタ２７に光触媒反応を生じさせる光源３１と、油煙５中に含まれる臭気成分を吸着可能な活性炭フィルタ３３と、を油煙５の流れに沿って下側から順番に設置したものとされる。そして、グリスフィルタ２６、光触媒フィルタ２７、活性炭フィルタ３３などの各フィルタは、全てほぼ同じ大きさの矩形状となるように形成されて、ダクト部２１の流路断面を横切るように平行に設置される。なお、各種のフィルタの厚みや構成については、それぞれの機能に応じて最適化されるため、異なっても良いのは勿論である。
【００２１】
そして、上記した光触媒フィルタ２７と光源３１とによって、高い脱臭効率が得られる光脱臭部が形成される。この光脱臭部では、光触媒フィルタ２７と光源３１とは上下方向に対して、交互に設置される。この場合、高い脱臭性能と脱臭ユニット２５のコンパクト化とを両立させるために、光触媒フィルタ２７は、上下三段に設置されると共に、三段の光触媒フィルタ２７の間に対して、光源３１が二段に設置されている。但し、光触媒フィルタ２７と光源３１との設置段数はこれに限るものではない。
【００２２】
更に、脱臭ユニット２５には、図示しないアセトアルデヒド分解フィルタを設置することもできる。このアセトアルデヒド分解フィルタは、臭気の種類や含まれる成分に応じて一番上又は一番下の光触媒フィルタ２７に替えて設置される。このアセトアルデヒド分解フィルタも、各フィルタと同じ大きさのほぼ矩形状のものとされて、ダクト部２１の流路断面を横切るように平行に設置される。
【００２３】
ここで、上記についての若干の補足説明を行うと、脱臭ユニット２５は、各種のフィルタ類を、所要の間隔を有して上下方向にほぼ積層した状態にして、概ね、１５０ミリ〜２５０ミリ程度の高さ、より好ましくは、１５０ミリ〜２００ミリの高さに収まるようにしたものとされる。即ち、この脱臭ユニット２５の高さは、（通常の手の大きさを有する）作業者が支障なく手で掴んだり持ったりして取扱うことができる適度な厚み（把持可能厚または取扱容易厚）に構成される。なお、この場合の脱臭ユニット２５の厚みは、その大部分が、光脱臭部の厚みとなる。そして、上記した厚み（把持可能厚または取扱容易厚）に構成されることにより、脱臭ユニット２５は、小型化されて、取扱性や設置性および施工性が格段に良好なものとなる。
【００２４】
上記した油脂ミストは、調理臭などの臭気成分を含んだ細かい油の飛沫であり、レンジフード１にとっては、付着したり蓄積したりすると、非常にやっかいな汚れ成分（油汚れ）となるものである。
【００２５】
グリスフィルタ２６は、例えば、繊維状のアルミニウムを布状に織ったものなどとされる。このグリスフィルタ２６は、処理対象ガスでは腐食されない金属によって構成された枠部材などに取付けられたり収容されたりするなどして面状化される。
【００２６】
臭気成分には、上記した油脂ミスト以外にも、様々なものが存在している。この場合には、臭気成分は、主に調理臭を想定しているが、喫煙臭などを含んでも良い。更に、上記以外の臭気成分を含んでいても良い。
【００２７】
ＰＡＨ（多環芳香族炭化水素）は、主に、上記した油脂ミストに含まれるものである。このＰＡＨは、不完全燃焼などによって発生されるものであり、発がんリスクがあるとして、近年、特に懸念されているものである。この発がんリスクは、交通量の多い道路の道端付近と同程度のレベルのものであるとの研究結果も報告されている。
【００２８】
光触媒反応は、光触媒と光とを利用した酸化・還元反応などである。この光触媒反応によって、臭気成分やＰＡＨや油脂ミストを分解することができると共に、これらは完全に酸化されると、水と二酸化炭素になる。
【００２９】
光触媒フィルタ２７は、処理対象ガスが通過可能なセラミック多孔体の表面や内部に、光触媒となる酸化チタン（ＴｉＯ２）などの粉末を焼き付け固定したものなどとされる。この場合、光触媒フィルタ２７は、所要厚さを有する面板状のものとされる。光触媒フィルタ２７の厚さは、光源３１からの光が、内部を通って反対面側へギリギリ到達し得るようなものとするのが、高い脱臭性能を得る上では好ましい。なお、光触媒フィルタ２７には、光触媒以外にも、臭気成分の種類に応じて、銀や銅やその他の触媒成分を適宜担持させることが可能である。
【００３０】
光源３１には、紫外線を発光するものや、紫外線を含む光を発光するものなどが使用される。光源３１には、例えば、紫外線管（蛍光管タイプのもの）や、紫外線ランプ（電球タイプのもの）や、紫外線発光ダイオード（ＬＥＤ）などの各種のものを適宜使用することができる。このうち、紫外線発光ダイオードは、形状に自由度があるので、蛍光管型や電球型に構成することもできるし、それ以外の形状に構成することもできる。この場合、光源３１には、蛍光管タイプのもの（紫外線管や紫外線発光ダイオードなど）が使用されている。
【００３１】
活性炭フィルタ３３は、多数の微細な穴を有することで広い表面積を持つ多孔性の活性炭によって臭気成分を吸着除去させるようにしたフィルタのことである。この活性炭フィルタ３３は、粉末活性炭や粒状活性炭を、例えば、不織布やウレタンフォームなどのシートに、挟み込んだり接着したりして成るシート状のもの（活性炭シート）などとされる。この活性炭フィルタ３３は、例えば、処理対象ガスでは腐食されない金属によって構成された枠部材などに対して着脱自在に収容設置される。
【００３２】
アセトアルデヒドは、臭気成分の中でも、特に臭気が強く、最も苦情になり易いものの一つである。このアセトアルデヒドは、光脱臭部によって分解除去することができる。なお、アセトアルデヒドには、これと類似した成分を有するもの（アルデヒド類）をも含むことができる。
【００３３】
アセトアルデヒド分解フィルタは、アセトアルデヒドに特化した分解機能を有する専用フィルタである。このアセトアルデヒド分解フィルタには、例えば、金属酸化物触媒フィルタが用いられる。このアセトアルデヒド分解フィルタを用いることにより、光脱臭部のみによってアセトアルデヒドを分解する場合よりも、アセトアルデヒドを分解除去する性能を更に向上することが可能となる。
【００３４】
次に、図３は、図１を正面側から見た断面図である。この図では、上記したダクト部２１は、棚枠状のものとされている。そして、この棚枠状のダクト部２１に対して、脱臭ユニット２５が着脱自在に収容設置されている。
【００３５】
図４は、棚枠状のダクト部２１から脱臭ユニット２５を取り外した状態を示す斜視図である。この棚枠状のダクト部２１は、左右の内側壁部に対し、それぞれ前後方向へ延びる三本の棚桟部３５を上下方向に間隔を有して三段に取付けたものとされる。そして、脱臭ユニット２５は、箱状のものとされて、左右の各棚桟部３５にその上下部および中間部を支持または案内されると共に、左右の棚桟部３５に沿い、前後方向へ向けて水平にスライドさせて着脱し得るようになっている。
【００３６】
この場合、脱臭ユニット２５の上面には、油煙５を通すための矩形状をした小さな開口３９が複数形成されている。これらの開口３９には、活性炭フィルタ３３の一部が臨んでいる。また、脱臭ユニット２５の前面上部からは、電源コード４１が延びており、ダクト部２１の前部壁２２には、電源コード４１を通すための切欠部４２が形成されている。脱臭ユニット２５の両側面には、中間の棚桟部３５によって案内される凹溝部４５が、前後方向へ延びるように形成されている。
【００３７】
図５は、図４の脱臭ユニット２５の斜視図である。図６は、脱臭ユニット２５の上面を図中正面側に向けて見た斜視図である。脱臭ユニット２５は、その上面板４６が、取り外せるようにビス４７によって固定されている。また、図６に示すように、脱臭ユニット２５は、その前面板４８が、取り外せるようにビス４９によって固定されている。
【００３８】
図７は、脱臭ユニット２５の底面を図中正面側に向けて見た斜視図である。この場合、脱臭ユニット２５の底面には、油煙５を通すための矩形状をした大きな開口５１が１つ形成されている。この開口５１には、グリスフィルタ２６の中央部が臨んでいる。また、脱臭ユニット２５の底面板５２が、取り外せるようにビス５３によって固定されている。
【００３９】
図８は、活性炭フィルタ３３などが見えるように上面板４６および前面板４８（図示せず）を取り外した脱臭ユニット２５を示す斜視図である。この脱臭ユニット２５は、左右一対の側部枠５６と、これら一対の側部枠５６の後端部間を連結する後部枠５８とを有する平面視コ字状（またはＣ字状）のケース本体を有するものとされる。そして、この平面視コ字状のケース本体における、側部枠５６の前端部間の位置に、上記した前面板４８を設置することによって、側部枠５６の前端部間が連結または閉止され、箱枠状のユニットケーシング６１が構成される。
【００４０】
そして、このようなユニットケーシング６１に対し、グリスフィルタ２６と、光触媒フィルタ２７と、活性炭フィルタ３３とは、それぞれ矢印で示すように、水平方向（この場合には、前後方向）へのスライドによって個別に着脱が可能とされている。
【００４１】
図９は、図８に対し、活性炭フィルタ３３および光触媒フィルタ２７を取り外した状態を示すユニットケーシング６１の斜視図である。上記した光源３１は、ユニットケーシング６１に横向きに固定された矩形枠状の光源取付用フレーム６５に備えられたソケット６６に対して交換可能に取付けられる。光源３１は、前後方向へ延びると共に、左右方向へ所要の間隔を有して複数本平行に設置されている。これに伴い、ソケット６６は、光源取付用フレーム６５の前後の辺部の内側面部分に対し、互いに対向した状態で、左右方向へ所要の間隔を有して複数対取付けられている。
【００４２】
この光源取付用フレーム６５は、間に中間の光触媒フィルタ２７が入る所要の間隔を有して上下二段に設置されている。そして、上下の光源取付用フレーム６５の間と、上側の光源取付用フレーム６５の上部と、下側の光源取付用フレーム６５の下部とには、三段の光触媒フィルタ２７をそれぞれ前後方向へスライドさせるための左右一対のスライドガイド部材６７が設けられている。このスライドガイド部材６７は、前後方向へ延びるコ字断面（またはＣ字断面）のものとされる。一対のスライドガイド部材６７は、平面視コ字状をしたケース本体における左右一対の側部枠５６の内面に対し、互いに向かい合わせにした状態で、ネジ６８を用いて締結固定されている。
【００４３】
そして、最上部のスライドガイド部材６７と上面板４６との間の隙間に、上記した活性炭フィルタ３３を載置した枠部材を前後方向にスライドさせるためのスライドガイド部が形成されるようにしている。同様に、最下部のスライドガイド部材６７と底面板５２との間の隙間に、グリスフィルタ２６が取付けられた枠部材を前後方向にスライドさせるためのスライドガイド部が形成されるようにしている。
【００４４】
なお、上記した前面板４８は、光源取付用フレーム６５の前辺部分に対して取付けるようにしても良い。また、特に図示しないが、平面視コ字状のケース本体における後部枠５８の内部には、光源３１に電源を供給するための電源装置や安定器などが内蔵される。
【００４５】
次に、この実施の形態の作用について説明する。
【００４６】
レンジフード１の機能は、以下の通りである。即ち、店舗内に設置した調理機器２から発生された油煙５は、レンジフード１のファン１５を回転させることにより、フード部６から吸い込まれて、レンジフード本体８内のダクト部２１を通され、ダクト部２１の内部に設けられた脱臭ユニット２５によって脱臭などの処理を行われた後、屋内排気口７から店舗内へと排出される。そして、店舗内へ排出された処理済ガス１８（油煙５から油脂ミストや臭気成分などを分解・除去した後のクリーンな排ガス）の一部は、調理機器２から発生された油煙５と共に再びレンジフード１へ吸引されて、循環処理される。
【００４７】
そして、脱臭ユニット２５の機能は、以下の通りである。即ち、脱臭ユニット２５では、油煙５は、先ず、グリスフィルタ２６によって油脂ミストが捕集され、次に、光触媒フィルタ２７に光源３１からの光を照射することで生じる光触媒反応によって臭気成分およびＰＡＨ（多感芳香族炭化水素）が分解され、最後に、活性炭フィルタ３３によって臭気成分を吸着されて、油脂ミストや臭気成分などがほぼ完全に除去されたクリーンな処理済ガス１８となる。これにより、店舗内が油煙５によって曇ったり、店舗内に臭気成分が充満したりするようなことが防止され、店舗内の空気が清浄に保たれる。なお、脱臭ユニット２５に対し、更に、アセトアルデヒド分解フィルタを設けて、アセトアルデヒドの分解を積極的に行わせるようにしても良い。
【００４８】
そして、フィルタの交換は、以下のようにして行われる。即ち、レンジフード１を長時間使用するなどによって各フィルタの機能が低下した場合には、レンジフード本体８の前面パネル１７を開けて、ダクト部２１の前部壁２２を取り外すと、ダクト部２１内に収容設置された脱臭ユニット２５が露出されるので、ダクト部２１内に設置した状態のまま脱臭ユニット２５の前面板４８を取外すようにする。すると、各フィルタが現れるので、各フィルタを前方へ引き出して、清掃や交換や反転作業などを行う。
【００４９】
なお、反転作業は、主に、上下の光触媒フィルタ２７（特に、最初に油煙５に接する下側の光触媒フィルタ２７）に対して行われるものである。この上下の光触媒フィルタ２７は、光源３１からの光が片面側からしか照射されないことによって、反対面側にグリスフィルタ２６で除去しきれなかった油脂ミストなどの汚れが付着した場合に、汚れが光触媒反応で分解されずに残ってしまう可能性があるからである。そして、光触媒フィルタ２７を反転させて油脂ミストなどの汚れが付着した面を光源３１へ向け、光源３１からの光を直接照射させることにより、光触媒反応で付着した汚れを分解して光触媒フィルタ２７を再生させるようにする。
【００５０】
これに対し、中間の光触媒フィルタ２７は、両面に上下の光源３１からの光が直接照射されるようになっているため、両面にて活発に光触媒反応が行われることから、上記した汚れの分解も促進されるので、上下の光触媒フィルタ２７と比べて格段に汚れの付着が少ないものとなり、破損時もしくは一度に多量の油脂ミストを吸い込ませてしまったような場合の特別なメンテナンス時以外には、反転作業は不要となる。或いは、中間の光触媒フィルタ２７は、上記したように汚れの付着が格段に少ないので、上下の光触媒フィルタ２７が汚れた場合に、汚れた光触媒フィルタ２７と汚れのほとんどない中間の光触媒フィルタ２７とを交換するようにしても良い。このように運用することにより、光触媒フィルタ２７を全体としてより効率的に使用して、各光触媒フィルタ２７の汚れ状況の平均化を図ることができる。
【００５１】
そして、各種フィルタのメンテナンス終了後は、上記とは反対の手順で、前面板４８、前部壁２２、前面パネル１７を取付けるなどして、レンジフード１を使用できる状態にする。
【００５２】
また、光源３１の交換は、以下のようにして行われる。即ち、光源３１が球切れした場合、上記と同様にして、前面パネル１７および前部壁２２を取外すなどした後に、ダクト部２１から脱臭ユニット２５全体を前方へスライドさせて外部へ取り出す。
【００５３】
そして、外部で、脱臭ユニット２５から前面板４８や上面板４６や底面板５２などを取り外し、更に、グリスフィルタ２６や光触媒フィルタ２７や活性炭フィルタ３３のうち光源３１の交換に妨げとなっているものを脱臭ユニット２５の前方に相当する方向へスライドさせて取り外す。これにより、光源３１が露出されるので、光源取付用フレーム６５に設けられたソケット６６から球切れが生じた光源３１を外して新しい光源３１に交換する。なお、中間の光触媒フィルタ２７については、邪魔にならない限り、特に取り外す必要はない。
【００５４】
そして、光源３１の交換後は、上記とは反対の手順で、各種フィルタ、前面板４８、上面板４６、底面板５２を取付けるなどにより、脱臭ユニット２５を組み立て、この脱臭ユニット２５を横方向にスライドさせてダクト部２１へ内収容させ、前部壁２２、前面パネル１７を取付けるなどして、レンジフード１を使用できる状態にする。
【００５５】
最後に、上記をまとめると共に、この実施の形態の効果について説明する。
【００５６】
箱枠状のユニットケーシング６１の内部に、グリスフィルタ２６、光触媒フィルタ２７、活性炭フィルタ３３などの各種フィルタ類と、光触媒フィルタ２７に光触媒反応を起こさせるための光源３１とを設置して、ダクト部２１に対し水平方向に着脱可能な一体の脱臭ユニット２５を構成した。これにより、必要なフィルタ類を一まとめにしてコンパクトにユニット化して成る、合理的な構造の脱臭装置を得ることができる。以って、上記した脱臭ユニット２５は、全体としての取扱い性が良いものとなると共に、高い脱臭性能を得るのに有利な構造を備えた装置となる。
【００５７】
そして、例えば、光源３１の交換時などには、ダクト部２１から脱臭ユニット２５ごと全体を外部へ取り外して、脱臭ユニット２５のユニットケーシング６１から幾つかのフィルタを取り外すだけで、簡単に光源３１が露出されるので、容易に光源３１を交換することができる。この際、ダクト部２１からの脱臭ユニット２５の取り外しが容易なので、光源３１の交換もスムーズに行うことができる。
【００５８】
更に、脱臭ユニット２５は、非常にコンパクトにまとめられているため、ダクト部２１にスペースさえ確保できるのであれば、既存のレンジフード１に対しても、これを改造して脱臭ユニット２５を設置できるようにすることが可能である。
【００５９】
また、ユニットケーシング６１に対する、グリスフィルタ２６、光触媒フィルタ２７、活性炭フィルタ３３などの各種フィルタ類の着脱を、全て水平方向に対するスライドによって行わせるようにした。これにより、メンテナンス時やフィルタ交換時などに、ダクト部２１に脱臭ユニット２５を設置したままの状態で、フィルタのみユニットケーシング６１から簡単に水平方向へ引き出して取り外すことができ、また、清掃や交換や反転作業などの後に、簡単に水平方向へ挿入して装着することができるようになる。しかも、各種フィルタ類は、全てほぼ同じ形状および大きさに揃えられて、一つのユニットケーシング６１に対し、同じ方向にスライドされるように統一的に並べて配置されるので、着脱時の作業位置や操作などがほぼ同じとなって取扱い性が良い。
【００６０】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。また、例えば、実施の形態に複数の構成が含まれている場合には、特に記載がなくとも、これらの構成における可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６１】
１    レンジフード
８    レンジフード本体
５    油煙
２１  ダクト部
２５  脱臭ユニット（レンジフード用脱臭装置）
２６  グリスフィルタ
２７  光触媒フィルタ
３１  光源
３３  活性炭フィルタ
３９  開口
５１  開口
６１  ユニットケーシング
【図１】
0005927705.tif 000002
【図２】
0005927705.tif 000003
【図３】
0005927705.tif 000004
【図４】
0005927705.tif 000005
【図５】
0005927705.tif 000006
【図６】
0005927705.tif 000007
【図７】
0005927705.tif 000008
【図８】
0005927705.tif 000009
【図９】
0005927705.tif 000010